(57)【要約】  クランプルゾーンを有するヘルメット用の顎バー及び顎バーの底部から上部まで内部に延びる通路から形成される一体式空気流システム。顎バーの底部のスクープは空気流を制御する。上部の拡散器は、搭乗者にミスチング及び新鮮な空気を提供する。【選択図】  図２
2019518149.tif 000002
【特許請求の範囲】
【請求項１】
本体、上部、及び底部を備えるヘルメット用の顎バーであって、前記本体は前記底部から前記上部まで延在する垂直通路を含む、顎バー。
【請求項２】
前記通路はクランプルゾーンを形成する、請求項１に記載の顎バー。
【請求項３】
前記通路は、前記底部から前記上部までの空気流を可能にするサイズに作られる、請求項１に記載の顎バー。
【請求項４】
前記底部は、前記通路に対する空気流を制御可能に制限する通気部を備える、請求項１に記載の顎バー。
【請求項５】
前記上部は、前記通路の上に配設された少なくとも１つの拡散器を備える、請求項１に記載の顎バー。
【請求項６】
前記通路はモザイク式パターンで配設される、請求項２に記載の顎バー。
【請求項７】
前記通路は断面が六角形である、請求項６に記載の顎バー。
【発明の詳細な説明】
【技術分野】
【０００１】
本発明は、保護ヘルメット、特に、クランプルゾーン及び改良された換気を組込む顎バーを有する、モータサイクル搭乗者に適するヘルメットに関する。
【背景技術】
【０００２】
本発明は、改良された顎保護及び換気を有する保護ヘルメットに関する。ヘルメットは、毎日のモータサイクル搭乗に特に適するが、同様に、オンロード、オフロード、及びアドベンチャーモーターサイクリング；ロードレーシング、ドラッグレーシング、モトクロス、スーパークロス、エンデューロ、スピードウェイ、ダートトラック及びラリー、並びにモーターカーレーシングを含むモーターサイクルレーシング；サーキットレーシング、オーバルレーシング、ドラッグレーシング、スピードウェイ、オフロードレーシング、オートクロス、ドリフティング、ゴーカーティング及びラリー；マウンテンバイクライディング、マウンテンバイク及びＢＭＸレーシング、スノースポーツ、クリケット、並びにホースライディング及びホースレーシングに適する。改良は、フルフェイスヘルメットとモジュール式フルフェイスヘルメットの両方に適用されることができる。
【０００３】
フルフェイスヘルメットは、落下中の顎に対する保護を提供し、多くの顔面の擦りむき、下顎骨（顎骨）の擦りむき、歯科及び顔の損傷を防いできた。しかし、衝撃を与えられると、クランプルしエネルギーを吸収するように設計されるヘルメットの主要な部分と違って、フルフェイスヘルメットの顎バーは、通常、硬質であり、したがって、衝撃を与えられると、ショックを伝える。ショックは、頭蓋基底部に伝えられ、頭蓋底骨折に起因する多くの死の一因であると考えられている。モーターサイクリングコミュニティの一部のメンバーは、事故の場合に、顎のひどい擦りむき及び／又は顔面／下顎骨骨折の犠牲を払っても、こうした致命的損傷を防止するためにオープンフェイスヘルメットを装着することを選択する。
【０００４】
換気は、バイザーが曇ることを防止するためにフィクスドフェイスヘルメットにおいて重要である。通常、三角形又は長方形通気穴が、バイザーの下でかつ顎バーの上部のヘルメットの縁の近くに含まれる。これらの穴は、衝撃中の容易な骨折経路を作成することが知られている。
【発明の概要】
【発明が解決しようとする課題】
【０００５】
本発明の目的は、上記問題を軽減するヘルメットを提供する又は大衆に有用な代替法を少なくとも提供することである。
【課題を解決するための手段】
【０００６】
第１の態様において、本発明は、本体、上部、及び底部を備えるヘルメット用の顎バーを提供し、本体は底部から上部まで延在する垂直通路を含む。
【０００７】
好ましくは、通路はクランプルゾーンを形成し、底部から上部までの空気流を可能にするサイズに作られる。
【０００８】
選好において、底部は、通路に対する空気流を制御可能に制限する通気部を備え、上部は、通路の上に配設された少なくとも１つの拡散器を備える。
【０００９】
好ましくは、通路はモザイク式パターンで配設され、断面が六角形である。
【００１０】
上記で述べた態様の任意の１つの態様が、上記で述べた他の態様の任意の態様の特徴のうちの任意の特徴を含むことができ、適宜以下で述べる実施形態の任意の実施形態の特徴のうちの任意の特徴を含むことができることが留意されるべきである。
【００１１】
本発明の好ましい特徴、実施形態、及び変形は、当業者が本発明を実施するのに十分な情報を提供する以下の詳細な説明から識別されることができる。詳細な説明は、本発明の先行する要約の範囲を制限するものといずれの点においても見なされない。詳細な説明は、次のように、幾つかの図面を参照することになる。
【図面の簡単な説明】
【００１２】
【図１】本発明を組込む顎バーの正面斜視図である。
【図２】顎バーの分解図である。
【図３】底部通気部が開口した状態の吹き付け側からの顎バーの斜視図である。
【図４】顎バーの切り欠き図である。
【発明を実施するための形態】
【００１３】
本発明の以下の詳細な説明は、添付図面を参照する。可能であるところではどこでも、同じ参照数字が、同じ及び同様の部品を参照するために、図面及び以下の説明全体を通して使用されることになる。図面に示す或る部品の寸法は、明確さ又は例証のために修正及び／又は誇張されている場合がある。
【００１４】
本発明は、垂直通路を組込むヘルメットの顎バー用のクランプルゾーンを提供し、垂直通路は、顎バーを通って上方に空気が通過することを可能にして、ヘルメットの設計完全性を損なうことなくバイザー用の換気を提供する。顎バーは、別個の又は完全一体化された構成要素として製造されて、顎バーの強度をよりよく維持し、顎バーに関する底速衝撃に起因するエネルギーをよりよく吸収し消散させ、それにより、搭乗者のための保護を改良する。六角形又はトリ六角形クランプルゾーンは、顎バーとの衝撃の場合に、改良されたかつ多方向のエネルギー管理を与えることになる。本発明の空気流システムは、顎バーの内部のクランプルゾーンの設計完全性を妨げることなく、フルフェイスヘルメットバイザーの曇りをとり、搭乗者に十分な酸素流を提供するのに役立つ。
【００１５】
本発明を組込む顎バー１０の外部図は、図１において１０として示される。顎バーは、従来の顎バーと同様であるように見えるが、空気を制御可能に受入れるための顎バーの底部３０のヒンジ付き底部通気部３２、及び、バイザーの内部表面上にかつ搭乗者の顔上に空気流を方向付けるための顎バーの上部４０の拡散器４２を含む。底部通気部３２は、通気部開口、したがって、空気流の操作を補助するためのタブ／ハンドル３４を含む。とりわけ、顎バーの外側シェル２８は穴によって損なわれない。
【００１６】
図２は、３つの主要な構成要素、本体２０、底部３０、及び上部４０を備えることを見ることができる顎バー１０の分解図を示す。顎バーの内部の詳細は、図４の切り欠き図によって最もよく理解される。本体２０は、内側シェル２６と外側シェル２８との間にコア２２を備える。内側及び外側シェルは、従来のヘルメットのように、ガラス繊維モールド、ガラス繊維／炭素繊維／ケブラー／アラミド複合モールド、或いは、ポリカーボネート又は他のプラスチックベースヘルメットモールド等の材料から作られ得る。コア２２は、同様に、ガラス繊維プラスチック、炭素繊維、アルミニウム合金、及び、他の合金、プラスチック、ナイロン、合成物質、及びウレタン等の種々の材料から作られ得、容易な交換を可能にするためにディスクリートユニットとして製造されることができる、又は、内側及び外側シェルと完全に一体化されることができる。コアは、エネルギー吸収用クランプルゾーン並びに空気が本体を通って流れるための経路を提供する垂直セル／通路２４のアレイを含む。セル２４は、好ましくは、モザイク式であり、図示するハニカム、トリ六角形パターン、又は種々の他の断面であることができる。底部セクション３０は、チャンバー３６を介して上方に出口アパーチャ３８を通ってセル２４の底部内に空気を方向付ける、底部の中央／前セクションに位置するヒンジ付き取込みスクープ３２（図３において開口した状態で示す）を含む。空気流は、セル２４の上部を出て、拡散器４２の入口アパーチャ４４を通り、入口アパーチャ４４から、空気流は、バイザー（図示せず）の内部表面にわたって方向付けられて、搭乗者の顔にわたって曇りをとる。
【００１７】
クランプルゾーンを有する顎バー、及び、従来の空気流ポートの場合のようにクランプルゾーンの構造完全性を損なうことなく適切な酸素流を搭乗者及顔ポートに提供する一体化空気流システムを提供する本発明がここで理解されるであろう。ヘルメット顔ポートに空気流を流すためにクランプルゾーンセルを使用することによって、従来搭載式通気部を設置するためにクランプルゾーンの上側セクション及び外側顎バーを切込む要件は全く存在しない。拡散器は、バイザーの曇りとりと搭乗者用の全体的なエアレイションの両方を最適化する。ハニカムパターン又はトリ六角形パターンクランプルゾーンは、多方向衝撃ローディング及び変形を与えて、顎バーとの低速衝突における力をよりよく管理する。ハニカムパターンクランプルゾーン変形レートは、異なるヘルメットユーザ、成人、及び子供について、また、異なる環境；オンロードモーターサイクリング、オフロードモーターサイクリング／バイシクリング、モーターサイクルロードレーシング、モトクロス、スーパークロス、エンデューロ、及びラリー；並びに、モータースポーツ、スノースポーツ、クリケット、及びホースライディング／レーシングについて調整され得る。
【００１８】
更なる利点及び改良は、本発明に対して本発明の範囲から逸脱することなく、大変うまく行われることができる。本発明は、最も実用的でかつ好ましい実施形態であると考えられるものにおいて示され述べられたが、本発明の範囲内でその実施形態からの逸脱が行われることができ、その逸脱が、本明細書で開示される詳細に限定されるのではなく、任意のまた全ての等価なデバイス及び装置を包含するために特許請求項の全範囲と見なされることが認識される。本明細書全体を通しての従来技術のいずれの議論も、こうした従来技術が、広く知られている、又は、本分野における共通の一般的な知識の一部を形成するという承認として決して考えられるべきではない。
【００１９】
本明細書及び特許請求項において（もしあれば）、語「備えている（ｃｏｍｐｒｉｓｉｎｇ）」並びに「備える（ｃｏｍｐｒｉｓｅｓ）」及び「備える（ｃｏｍｐｒｉｓｅ）」を含むその変形は、述べた整数のそれぞれを含むが、１つ又は複数の更なる整数の包含を排除しない。
【符号の説明】
【００２０】
１０  顎バー
２０  本体
２２  コア
２４  セル
２６  内側シェル
２８  外側シェル
３０  （顎バーの）底部
３２  通気部
３４  ハンドル
３６  チャンバー
３８  出口アパーチャ
４０  （顎バーの）上部
４２  拡散器
４４  入口アパーチャ
【図１】
2019518149.tif 000003
【図２】
2019518149.tif 000004
【図３】
2019518149.tif 000005
【図４】
2019518149.tif 000006
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
バイザーを有するヘルメット用の顎バーであって、本体、上部、及び底部を備え、前記本体は前記バイザーへの換気を提供するために前記底部から前記上部まで延在する垂直通路を含む、顎バー。
【請求項２】
前記通路はクランプルゾーンを形成する、請求項１に記載の顎バー。
【請求項３】
前記底部は、前記通路に対する空気流を制御可能に制限する通気部を備える、請求項１に記載の顎バー。
【請求項４】
前記上部は、前記通路の上に配設された少なくとも１つの拡散器を備える、請求項１に記載の顎バー。
【請求項５】
前記通路はモザイク式パターンで配設される、請求項２に記載の顎バー。
【請求項６】
前記通路は断面が六角形である、請求項５に記載の顎バー。
【国際調査報告】
2019518149.tif 000007
2019518149.tif 000008
2019518149.tif 000009